(57)【特許請求の範囲】
【請求項１】
複数の側板が、所定の間隔をあけて対向配置されるとともに壁面に固定され、これら複数の側板と壁面とで囲まれた箇所が収納部とされており、
前記複数の側板の正面側端部には、前記収納部の開放された一面を開閉する複数の扉板が設けられており、
前記複数の側板どうしの対向面には、これら対向面を上下方向に沿って複数に等分割した位置に、棚板支持用の支持軸を差し込むための被差込穴がそれぞれ形成されており、
上下方向に隣り合う前記被差込穴間の長さが基準高さ寸法とされており、前記複数の扉板の高さ寸法は、この基準高さ寸法の整数倍に設定されており、
上下方向に隣接する扉板の裏面間に、これら隣接する扉板どうしを連結する連結板材が架設固定されていることを特徴とする収納棚。
【請求項２】
請求項１に記載の収納棚において、
前記複数の扉板は、一片が各扉板の一側端部の上下端部に固定されるとともに、他片が前記複数の側板の正面側端部に沿って固定される蝶番を介して、前記複数の側板の正面側端部に設けられており、
前記上下方向に隣り合う被差込穴間には、前記蝶番の他片を固定する軸部を差し込むための蝶番用被差込穴が、前記複数の側板の正面側端部に沿って、所定の間隔で複数形成されていることを特徴とする収納棚。
【請求項３】
請求項２に記載の収納棚において、
前記複数の扉板は、これら複数の扉板の押動作用により係脱するプッシュラッチによってロックおよびロック解除自在となっており、
このプッシュラッチは、前記複数の扉板の他側端部に固定される係合片と、この係合片に係合し、前記複数の側板の正面側端部に固定される被係合部とを備えており、
この被係合部を固定する軸部は、前記複数の側板どうしの対向面に形成された前記蝶番用被差込穴に差し込まれていることを特徴とする収納棚。
【請求項４】
請求項１〜３のいずれか一項に記載の収納棚において、
前記複数の側板は、床面から天井までの高さに設定されており、
前記複数の側板の上端部間には、これら複数の側板の上端部を遮蔽する幕板が架設されるとともに、前記複数の側板の下端部間には、これら複数の側板の下端部を遮蔽する幅木が架設されていることを特徴とする収納棚。
【発明の詳細な説明】
【技術分野】
【０００１】
本発明は、複数の側板が、所定の間隔をあけて対向配置されるとともに壁面に固定され、これら複数の側板と壁面とで囲まれた箇所が収納部とされた収納棚に関する。
【背景技術】
【０００２】
従来、物品を収納するための収納棚として、特許文献１に記載の壁面収納ユニットが知られている。この壁面収納ユニットは、収納箱体の内部に複数の棚板が設けられるとともに、収納箱体の前側全面にわたって扉体が設けられており、複数の棚板によって物品を収納する際の利便性を向上できるとともに、扉体によって収納箱体の前面開口を開閉できるようになっている。
【特許文献１】特開２０００−２４８７３５号公報
【発明の開示】
【発明が解決しようとする課題】
【０００３】
ところが、特許文献１のような壁面収納ユニットの場合、扉体が収納箱体の前側全面にわたって設けられているので、この扉板を開いて、収納箱体の前面開口を開放させると、収納箱体の内部全体が露出することとなる。このように、扉体を開けただけで、収納箱体の内部全体が露出してしまうと、見せたくないものがあっても見えてしまうので、好ましくない。
そこで、例えば扉体を複数用いるなどして、収納箱体の内部全体を露出させずに、任意の箇所だけを開放させたいという要望があった。さらには、棚板を任意の高さ位置に取り付けたり、複数の扉体をそれぞれ異なる大きさのものとしたり等、使用者の要望に合った収納スペースの使い方を実現できるような収納棚の開発が望まれていた。
【０００４】
本発明の課題は、使用者の要望に合った収納スペースの使い方を確実に実現することが可能な収納棚を提供することを目的とする。
【課題を解決するための手段】
【０００５】
請求項１に記載の発明は、収納棚１であり、例えば図１〜図６に示すように、複数の側板２が、所定の間隔をあけて対向配置されるとともに壁面３に固定され、これら複数の側板２と壁面３とで囲まれた箇所が収納部４とされており、
前記複数の側板２の正面側端部には、前記収納部４の開放された一面を開閉する複数の扉板５，６，７が設けられており、
前記複数の側板２どうしの対向面には、これら対向面を上下方向に沿って複数に等分割した位置に、棚板８支持用の支持軸８ａを差し込むための被差込穴２ａがそれぞれ形成されており、
上下方向に隣り合う前記被差込穴２ａ間の長さが基準高さ寸法Ｈとされており、前記複数の扉板５，６，７の高さ寸法は、この基準高さ寸法Ｈの整数倍に設定されており、
上下方向に隣接する扉板５，６，７の裏面間に、これら隣接する扉板５，６，７どうしを連結する連結板材１７が架設固定されていることを特徴とする。
【０００６】
請求項１に記載の発明によれば、前記複数の側板２の正面側端部には、前記収納部４の開放された一面を開閉する複数の扉板５，６，７が設けられているので、これら複数の扉板５，６，７の任意の扉板を開けることによって、前記収納部４の内部全体を露出させずに、任意の箇所だけを開放させることができる。
さらに、前記複数の側板２どうしの対向面には、これら対向面を上下方向に沿って複数に等分割した位置に、前記棚板８支持用の支持軸８ａを差し込むための被差込穴２ａがそれぞれ形成されているので、これら被差込穴２ａが形成された高さ位置の任意の箇所に、前記棚板８を取り付けることができる。
また、前記複数の扉板５，６，７の高さ寸法が、上下方向に隣り合う前記被差込穴２ａ間の長さである基準高さ寸法Ｈの整数倍に設定されているので、これら複数の扉板５，６，７の高さ寸法をそれぞれ異なるものとすることができるとともに、これら大きさの異なる扉板５，６，７を、様々なパターンで組み合わせることができる。
これによって、前記棚板８を任意の高さ位置に取り付けできるとともに、異なる大きさの複数の扉板５，６，７を様々なパターンで組み合わせることができるので、前記収納部４を、前記棚板８によって自由に仕切るとともに、それに合わせて前記複数の扉板５，６，７を自由に取り付けることによって、使用者の要望に合った収納スペースの使い方を確実に実現することが可能となる。
また、上下方向に隣接する扉板５，６，７の裏面間に、これら隣接する扉板５，６，７どうしを連結する連結板材１７が架設固定されているので、前記複数の扉板５，６，７を連結して、例えば一枚の扉板として使用することができる。これによって、前記扉板５，６，７の組み合わせのパターンを増加させることができるので、使用者の要望に合った収納スペースの使い方をより確実に実現することが可能となる。
【０００７】
請求項２に記載の発明は、例えば図２および図３に示すように、請求項１に記載の収納棚１において、
前記複数の扉板５，６，７は、一片１０ａが各扉板５，６，７の一側端部の上下端部に固定されるとともに、他片１０ｂが前記複数の側板２の正面側端部に沿って固定される蝶番１０を介して、前記複数の側板２の正面側端部に設けられており、
前記上下方向に隣り合う被差込穴２ａ間には、前記蝶番１０の他片１０ｂを固定する軸部１０ｃを差し込むための蝶番用被差込穴２ｂが、前記複数の側板２の正面側端部に沿って、所定の間隔で複数形成されていることを特徴とする。
【０００８】
請求項２に記載の発明によれば、上下方向に隣り合う被差込穴２ａ間には、前記蝶番１０の他片１０ｂを固定する軸部１０ｃを差し込むための蝶番用被差込穴２ｂが、前記複数の側板２の正面側端部に沿って、所定の間隔で複数形成されているので、前記蝶番１０は前記基準高さ寸法Ｈの範囲内に設けられることとなる。したがって、前記複数の扉板５，６，７が、それぞれ異なる大きさであっても、前記基準高さ寸法Ｈの整数倍に設定されているので、これら複数の扉板５，６，７を、前記蝶番１０を介して、前記複数の側板２の正面側端部に確実に取り付けることができる。
【０００９】
請求項３に記載の発明は、例えば図２および図３に示すように、請求項２に記載の収納棚１において、
前記複数の扉板５，６，７は、これら複数の扉板５，６，７の押動作用により係脱するプッシュラッチ１１によってロックおよびロック解除自在となっており、
このプッシュラッチ１１は、前記複数の扉板５，６，７の他側端部に固定される係合片１１ａと、この係合片１１ａに係合し、前記複数の側板２の正面側端部に固定される被係合部１１ｂとを備えており、
この被係合部１１ｂを固定する軸部１１ｃは、前記複数の側板２どうしの対向面に形成された前記蝶番用被差込穴２ｂに差し込まれていることを特徴とする。
【００１０】
請求項３に記載の発明によれば、前記プッシュラッチ１１は、前記複数の扉板５，６，７の他側端部に固定される係合片１１ａと、この係合片１１ａに係合し、前記複数の側板２の正面側端部に固定される被係合部１１ｂとを備えているので、このプッシュラッチ１１は、前記蝶番１０が取り付けられていない側の前記複数の側板２の正面側端部に取り付けられることとなる。そして、前記被係合部１１ｂを固定する軸部１１ｃは、前記複数の側板２どうしの対向面に形成された前記蝶番用被差込穴２ｂに差し込まれているので、前記プッシュラッチ１１を前記複数の側板２に取り付ける際に、例えば、このプッシュラッチ用の穴等を形成する必要がなく、前記蝶番用被差込穴２ｂを併用することができて効率が良い。
【００１１】
請求項４に記載の発明は、例えば図１および図２に示すように、請求項１〜３のいずれか一項に記載の収納棚１において、
前記複数の側板２は、床面３ａから天井３ｂまでの高さに設定されており、
前記複数の側板２の上端部間には、これら複数の側板２の上端部を遮蔽する幕板１２が架設されるとともに、前記複数の側板２の下端部間には、これら複数の側板２の下端部を遮蔽する幅木１３が架設されていることを特徴とする。
【００１２】
請求項４に記載の発明によれば、前記複数の側板２は、床面３ａから天井３ｂまでの高さに設定されているので、これら複数の側板２と壁面３とで囲まれた収納部４を、部屋の床面３ａから天井３ｂに達する比較的大きな収納スペースとすることができ、収納力を向上させることができる。
また、前記複数の側板２の上端部を遮蔽する幕板１２が架設されるとともに、前記複数の側板２の下端部を遮蔽する幅木１３が架設されているので、これら幕板１２および幅木１３によって、前記複数の側板２と、床面３ａおよび天井３ｂとの境界部分をそれぞれ遮蔽することができる。これによって、前記収納棚１と壁面３との一体化を図ることができるので、外観性に優れる。
【発明の効果】
【００１５】
本発明によれば、複数の側板の正面側端部には、収納部の開放された一面を開閉する複数の扉板が設けられているので、これら複数の扉板の任意の扉板を開けることによって、収納部の内部全体を露出させずに、任意の箇所だけを開放させることができる。
さらに、複数の側板どうしの対向面には、これら対向面を上下方向に沿って複数に等分割した位置に、棚板支持用の支持軸を差し込むための被差込穴がそれぞれ形成されているので、これら被差込穴が形成された高さ位置の任意の箇所に、棚板を取り付けることができる。
また、複数の扉板の高さ寸法が、上下方向に隣り合う被差込穴間の長さである基準高さ寸法の整数倍に設定されているので、これら複数の扉板の高さ寸法をそれぞれ異なるものとすることができるとともに、これら大きさの異なる扉板を、様々なパターンで組み合わせることができる。
これによって、棚板を任意の高さ位置に取り付けできるとともに、異なる大きさの複数の扉板を様々なパターンで組み合わせることができるので、収納部を、棚板によって自由に仕切るとともに、それに合わせて複数の扉板を自由に取り付けることによって、使用者の要望に合った収納スペースの使い方を確実に実現することが可能となる。
【発明を実施するための最良の形態】
【００１６】
以下、図面を参照して本発明の実施の形態について説明する。
【００１７】
本実施の形態の収納棚１は、図１〜図５に示すように、複数の側板２が、所定の間隔をあけて対向配置されるとともに壁面３に固定され、これら複数の側板２と壁面３とで囲まれた箇所が収納部４とされており、前記複数の側板２の正面側端部には、前記収納部４の開放された一面を開閉する複数の扉板５，６，７が設けられており、前記複数の側板２どうしの対向面には、これら対向面を上下方向に沿って複数に等分割した位置に、棚板８支持用の支持軸８ａを差し込むための被差込穴２ａがそれぞれ形成されている。
そして、上下方向に隣り合う前記被差込穴２ａ間の長さが基準高さ寸法Ｈとされており、前記複数の扉板５，６，７の高さ寸法は、この基準高さ寸法Ｈの整数倍に設定されている。
【００１８】
前記複数の側板２は、図３に示すように、上下方向に長尺な矩形板材であり、床面３ａから天井３ｂまでの高さに設定されており、これら複数の側板２と壁面３とで囲まれた収納部４を、部屋の床面３ａから天井３ｂに達する比較的大きな収納スペースとすることができ、収納力を向上できるようになっている。
また、これら複数の側板２は、前記壁面３に打ち込まれた止着材１６ａの頭部に係合する側板用固定部材１６によって前記壁面３に固定されている。
【００１９】
さらに、これら複数の側板２どうしの対向面には、上述のように、これら対向面を上下方向に沿って複数に等分割した位置に、棚板８支持用の支持軸８ａを差し込むための被差込穴２ａがそれぞれ形成されており、これら被差込穴２ａが形成された高さ位置の任意の箇所に、前記棚板８を取り付けできるようになっている。
また、上下方向に隣り合う被差込穴２ａ間には、蝶番１０の他片１０ｂを固定する軸部１０ｃを差し込むための蝶番用被差込穴２ｂが、前記複数の側板２の正面側端部に沿って、所定の間隔で複数形成されている。この蝶番１０とは、図２および図３に示すように、一片１０ａが各扉板５，６，７の一側端部の上下端部に固定されるとともに、他片１０ｂが前記複数の側板２の正面側端部に沿って固定されるものであり、この蝶番１０を介して回転可能となるように、前記扉板５，６，７が、前記複数の側板２の正面側端部に設けられている。
また、これら被差込穴２ａおよび蝶番用被差込穴２ｂは、前記複数の側板２の両側面に形成されている。
【００２０】
また、前記被差込穴２ａは、図３に示すように、前記側板２の奥行き方向に沿って、前側および後側にそれぞれ１穴ずつ形成されている。
また、前記蝶番用被差込穴２ｂは、前記蝶番１０を２箇所で安定的に固定するために上下２穴を１セットとして形成されている。そして、本実施の形態においては、上下に隣り合う被差込穴２ａ間に、このような蝶番用被差込穴２ｂが３セット形成されている。
【００２１】
なお、本実施の形態の被差込穴２ａを前記側板２の奥行き方向に沿って、前側および後側にそれぞれ形成された１穴としたが、これに限られるものではない。また、前記蝶番用被差込穴２ｂを上下２穴を１セットしたがこれに限られるものではない。すなわち、これら被差込穴２ａおよび蝶番用被差込穴２ｂの穴数を統一して、いずれの穴にでも棚板８支持用の支持軸８ａや、軸部１０ｃ（１１ｃ）を差し込めるようにして、これら被差込穴２ａと蝶番用被差込穴２ｂとを併用できるようにしてもよい。
その際は、奥行き方向前側の被差込穴２ａと、前記蝶番用被差込穴２ｂとを上下方向に沿って一列に配列する。また、例えば棚板８を支持する際に、上下２穴にも対応できるように、これら２穴に差し込めるような２本の軸部を有するような支持金物を使用したり、１穴でも確実に固定できるような蝶番を用いたりすることが望ましい。
【００２２】
また、前記被差込穴２ａに支持軸８ａを差し込んで、前記被差込穴２ａが形成された位置に、前記棚板８を必ずしも取り付ける必要はない。つまり、収納部４に対して長尺な物品を収納する際は、棚板８が必要ない場合もある。
【００２３】
また、前記収納部４は、図２に示すように、前記複数の側板２と壁面３とで囲まれた箇所を指しており、前記側板２の枚数を増やすことによって、前記収納部４も増やすことができるようになっている。つまり、２枚の側板２と壁面３とで囲まれた箇所には収納部４が一つであり、３枚の側板２と壁面とで囲まれた箇所には収納部４が二つであり、本実施の形態においては、７枚の側板２と壁面３とで囲まれた箇所が収納部４とされ、その数は六つとなっている。
【００２４】
なお、前記複数の側板２どうしの間隔は適宜変更可能である。これによって、前記収納部４の幅寸法を縮めたり、広げたりすることができる。また、これに応じて、前記複数の扉板５，６，７の幅寸法を適宜変更する。
【００２５】
一方、前記複数の側板２の正面側端部に設けられる前記扉板５，６，７は、上述のように、それぞれ高さ寸法が、前記基準高さ寸法Ｈの整数倍に設定されている。本実施の形態においては、図１に示すように、前記扉板５は、前記基準高さ寸法Ｈの１倍に設定され、前記扉板６は、前記基準高さ寸法Ｈの２倍に設定され、前記扉板７は、前記基準高さ寸法Ｈの３倍に設定されている。
なお、前記複数の側板２は、基準高さ寸法Ｈの３倍に設定された前記扉板７を上下に２枚連続させたよりも若干高くなるように設定されている。つまり、図３に示すように、基準高さ寸法Ｈの６倍以上の高さに設定されており、天板および地板に該当する棚板８を含む、計７枚の棚板８を取り付けできるようになっている。
【００２６】
また、上述のように、これら複数の扉板５，６，７は、図２および図３に示すように、前記蝶番１０を介して、前記複数の側板２の正面側端部に設けられており、前記上下方向に隣り合う被差込穴２ａ間には、前記蝶番１０の他片１０ｂを固定する軸部１０ｃを差し込むための蝶番用被差込穴２ｂが、前記複数の側板２の正面側端部に沿って、所定の間隔で複数形成されている。
これによって、前記蝶番１０は前記基準高さ寸法Ｈの範囲内に設けられることとなり、前記複数の扉板５，６，７が、それぞれ異なる大きさであっても、前記基準高さ寸法Ｈの整数倍に設定されているので、これら複数の扉板５，６，７を、前記蝶番１０を介して、前記複数の側板２の正面側端部に確実に取り付けできるようになっている。
【００２７】
また、この蝶番１０は、上述のように、前記各扉板５，６，７の一側端部に固定されるものであり、具体的には、図３に示すように、前記収納部４に面する複数の側板２のうち、正面視左側の側板２の正面側端部に固定してもよく、正面右側の側板２の正面側端部に固定してもよい。つまり、本実施の形態の扉板５，６，７は、片開き戸のような形態で開閉動作を行うものでもよく、両開き戸のような形態で開閉動作を行うものでもよい。
【００２８】
さらに、これら複数の扉板５，６，７は、これら複数の扉板５，６，７の押動作用により係脱するプッシュラッチ１１によってロックおよびロック解除自在となっている。
このプッシュラッチ１１は、図２および図３に示すように、前記複数の扉板５，６，７の他側端部に固定される係合片１１ａと、この係合片１１ａに係合し、前記複数の側板２の正面側端部に固定される被係合部１１ｂとを備えており、これによって、このプッシュラッチ１１は、前記蝶番１０が取り付けられていない側の前記複数の側板２の正面側端部に取り付けられることとなる。
【００２９】
また、この被係合部１１ｂを固定する軸部１１ｃは、前記複数の側板２どうしの対向面に形成された前記蝶番用被差込穴２ｂに差し込まれている。
すなわち、前記被係合部１１ｂを固定する軸部１１ｃは、前記複数の側板２どうしの対向面に形成された前記蝶番用被差込穴２ｂに差し込まれているので、前記プッシュラッチ１１を前記複数の側板２に取り付ける際に、例えば、このプッシュラッチ１１用の穴等を形成する必要がなく、前記蝶番用被差込穴２ｂを併用することができて効率が良い。
【００３０】
なお、本実施の形態のプッシュラッチ１１は、前記係合片１１ａと、前記被係合部１１ｂとの係合関係によるものとしたが、これに限られるものではなく、例えばマグネット式等のプッシュラッチであってもよい。
【００３１】
そして、以上のように前記複数の扉板５，６，７の高さ寸法が、上下方向に隣り合う前記被差込穴２ａ間の長さである基準高さ寸法Ｈの整数倍に設定されているので、これら複数の扉板５，６，７の高さ寸法をそれぞれ異なるものとすることができるとともに、これら大きさの異なる扉板５，６，７を、様々なパターンで組み合わせることができる。
図４（ａ）〜（ｇ）は、このような様々なパターンの一例を示しており、収納棚１を正面視した際の扉板５，６，７のレイアウトとなっている。図４中における最も小さい扉板が前記扉板５であり、次に大きい扉板が前記扉板６であり、最も大きい扉板が前記扉板７である。
【００３２】
図４（ａ）における収納棚１は、前記側板２が３枚使用されており、正面視左側の収納部４の前面に、複数の扉板５，６，７が設けられている。順番としては、最も大きい扉板７が最上部に配置され、その下方に前記扉板５が配置され、最下部に前記扉板６が配置されている。また、正面視右側の収納部４の前面には、３枚の前記扉板６が上下方向に並んで設けられている。
図４（ｂ）〜（ｇ）に示す他の例においても、前記扉板５，６，７が適宜組み合わされて設けられており、様々なパターンを実現できる。
【００３３】
また、図示はしないが、前記扉板５，６，７の組み合わせのパターンとして、例えば、扉板５，６，７を取り付けない箇所、すなわち、収納部４の一部を故意に露出させるようなパターンでもよいものとする。すなわち、ただ単に扉板５，６，７を取り付けないだけでなく、仮に、収納部４が基準高さ寸法Ｈの３倍の高さ寸法に設定されていたとして、この収納部４の前面に、基準高さ寸法Ｈの１倍の高さ寸法の扉板５や、基準高さ寸法Ｈの２倍の高さ寸法の扉板６を取り付けるようにしてもよい。これによって、故意に、収納部４の内部の一部を見せることができる。
【００３４】
なお、本実施の形態の扉板７は、前記基準高さ寸法Ｈの３倍に設定されているが、この扉板７よりも長尺な物品を収納したい際は、図６に示すように、上下方向に隣接する扉板５，６，７の裏面間に、これら隣接する扉板５，６，７どうしを連結する連結板材１７を架設固定する。これによって、前記複数の扉板５，６，７を連結して、例えば一枚の扉板として使用することができるので、前記扉板５，６，７の組み合わせのパターンを増加させることができ、使用者の要望に合った収納スペースの使い方を確実に実現することが可能となる。
また、前記扉板５，６，７間には若干の隙間が確保され、扉板５，６，７を開閉しやすくなっているとともに、この隙間から見える前記連結板材１７の表面は、前記扉板５，６，７の表面と同色となるように設定されている。
また、この連結板材１７の裏面には、複数のフック１７ａが設けられており、物品を引っ掛けて収納できるようになっている。
【００３５】
一方、前記棚板８は、隣り合う側板２間に架設されるものであり、前記収納部４を仕切ることができるとともに、自身の上面に物品を載置することによって、物品を収納できるようになっている。
また、この棚板８は、上述のように前記複数の側板２の上端部に設けられるものを天板として使用しているとともに、下端部に設けられるものを地板として使用している。
【００３６】
このような棚板８を側板２に取り付ける際は、図５に示すように、前記被差込穴２ａに差し込まれた支持軸８ａの頭部に係合する係合部材８ｂが、前記棚板８の側端部に設けられている。このような係合部材８ａは、ドライバー等によって締め付けできるようになっている。
【００３７】
なお、本実施の形態の収納棚１は、図１に示すように、前記複数の側板２が、床面３ａから天井３ｂまでの高さに設定されており、正面視左側端に位置する側板２が、前記壁面３に直交する壁面３０に対向しており、正面視右側に位置する側板２が壁面のないオープン空間に面するようにして、設けられている。
【００３８】
そして、図１および図３に示すように、前記複数の側板２の上端部間には、これら複数の側板２の上端部を遮蔽する幕板１２が架設されるとともに、前記複数の側板２の下端部間には、これら複数の側板２の下端部を遮蔽する幅木１３が架設されている。
これにより、これら幕板１２および幅木１３によって、前記複数の側板２と、床面３ａおよび天井３ｂとの境界部分をそれぞれ遮蔽することができるので、前記収納棚１と壁面３との一体化を図ることができ、外観性に優れる。
なお、これら幕板１２や幅木１３は、収納棚１の幅寸法が長い場合は、図１に示すように、２本の幕板１２および幅木１３を、それぞれ長さ方向に接合して用いるようにしてもよい。
【００３９】
また、正面視左側端に位置する側板２には、図２に示すように、この側板２の正面側端面に、この側板２と前記壁面３０との間の隙間を遮蔽する調整材１５が設けられている。この調整材１５は、この調整材１５の凹部を、前記正面視左側端に位置する側板２の前側側面に固定され、前方に突出する調整材下地１５ａの突端に嵌合するようにして設けられている。
【００４０】
さらに、正面視右側端に位置する側板２には、図１および図２に示すように、この側板２の側面を覆うようにして化粧側板１４が設けられている。
この化粧側板１４は、前記扉板５，６，７と同じ表面化粧が施されており、前記正面視右側端に位置する側板２の側面に露出する被差込穴２ａおよび蝶番用被差込穴２ｂを隠すことができるようになっている。
【００４１】
なお、本実施の形態の収納棚１は、このように直交する壁面３と壁面３０との入隅部に設けられるものとしたが、これに限られるものではなく、凹状に形成された壁面に埋設するようにして設けたり、両側がオープン空間となるような位置に設けたりしてもよい。
【００４２】
本実施の形態によれば、前記複数の側板２の正面側端部には、前記収納部４の開放された一面を開閉する複数の扉板５，６，７が設けられているので、これら複数の扉板５，６，７の任意の扉板を開けることによって、前記収納部４の内部全体を露出させずに、任意の箇所だけを開放させることができる。
さらに、前記複数の側板２どうしの対向面には、これら対向面を上下方向に沿って複数に等分割した位置に、前記棚板８支持用の支持軸８ａを差し込むための被差込穴２ａがそれぞれ形成されているので、これら被差込穴２ａが形成された高さ位置の任意の箇所に、前記棚板８を取り付けることができる。
また、前記複数の扉板５，６，７の高さ寸法が、上下方向に隣り合う前記被差込穴２ａ間の長さである基準高さ寸法Ｈの整数倍に設定されているので、これら複数の扉板５，６，７の高さ寸法をそれぞれ異なるものとすることができるとともに、これら大きさの異なる扉板５，６，７を、様々なパターンで組み合わせることができる。
これによって、前記棚板８を任意の高さ位置に取り付けできるとともに、異なる大きさの複数の扉板５，６，７を様々なパターンで組み合わせることができるので、前記収納部４を、前記棚板８によって自由に仕切るとともに、それに合わせて前記複数の扉板５，６，７を自由に取り付けることによって、使用者の要望に合った収納スペースの使い方を確実に実現することが可能となる。
【図面の簡単な説明】
【００４３】
【図１】本発明の実施の形態に係る収納棚を示す斜視図である。
【図２】図１の収納棚を示す平断面図である。
【図３】図１の収納棚を示す側断面図である。
【図４】複数の扉板の組み合わせの一例を示す参考正面図である。
【図５】棚板の取付形態を示す斜視図である。
【図６】連結板材の取付形態を示す斜視図である。
【符号の説明】
【００４４】
１  収納棚
２  側板
２ａ  被差込穴
３  壁面
４  収納部
５  扉板
６  扉板
７  扉板
８  棚板
Ｈ  基準高さ寸法
【図１】
0005276296.tif 000002
【図２】
0005276296.tif 000003
【図３】
0005276296.tif 000004
【図４】
0005276296.tif 000005
【図５】
0005276296.tif 000006
【図６】
0005276296.tif 000007